(57)【要約】【課題】遊技機において、ワイヤが切断された際に警報で知らせる警報システム、ワイヤロック装置、表示器を提供すること。【解決手段】ワイヤロック装置９のワイヤ１１が切断された場合、スイッチ３２がオンとなる。検知部７９は、スイッチ３２がオンとなったことを検知して、制御部７１に信号を送る。制御部７１は、検知部７９から送られた信号を受け取り、表示部７３に表示したり、警報機（図示せず）により警報を発したりする。【選択図】  図８
2004275254.tif 000002
【特許請求の範囲】
【請求項１】
遊技機の警報システムであって、
ワイヤを用いて施錠を行い、前記ワイヤが切断されると信号を発する施錠手段と、
前記信号が発せられると告知を行う告知手段と、
を具備することを特徴とする警報システム。
【請求項２】
前記施錠手段は、ワイヤロック装置であることを特徴とする請求項１記載の警報システム。
【請求項３】
前記告知手段は、前記遊技機の表示器であることを特徴とする請求項１記載の警報システム。
【請求項４】
前記告知手段は、警報を発することを特徴とする請求項１記載の警報システム。
【請求項５】
前記遊技機はパチンコ遊技機であることを特徴とする請求項１記載の警報システム。
【請求項６】
前記遊技機はスロットマシン機であることを特徴とする請求項１記載の警報システム。
【請求項７】
ワイヤが巻きつけられ、通常時は前記ワイヤを巻き取る方向に力が加えられる巻取り体と、
前記巻取り体に設けられた歯車と、
電磁石と、
通常時は前記歯車と係合し、前記電磁石に電源が供給されると移動し、前記歯車との係合が解かれるストッパと、
前記ワイヤの切断を検出する検出機構と、
を具備することを特徴とするワイヤロック装置。
【請求項８】
前記検出機構は、通常時はワイヤと係合して第１の位置にあり、前記ワイヤが切断されると第２の位置に移動する移動部材と、
前記移動部材が第２の位置に移動するとオンとなる、スイッチ機構と、
を具備することを特徴とする請求項７記載のワイヤロック装置。
【請求項９】
請求項７記載のワイヤロック装置から送られる信号に基づき、表示を行うことを特徴とする表示器。
【請求項１０】
前記表示器は、警報を発することを特徴とする請求項９記載の表示器。
【発明の詳細な説明】
【０００１】
【発明の属する技術分野】
本発明は遊技機の警報システム、ワイヤロック装置、表示器に関するものである。
【０００２】
【従来の技術】
パチンコ遊技機やスロットマシン機等の遊技者の中には、パチンコ遊技機等に何らかの細工を施し、設定された出球数以上の出球を不正に得ようとする者がいる。かかる不正を行う者は、従業員の目を盗み、あるいは遊技場の閉店後や休日等に不法に侵入して、遊技機の扉に設けられた鍵を何らかの手段で開錠して、不正を行うための装置を遊技機内部に取り付けたり、遊技機内部に細工を施したりすることがある。このため、従来は、通常の鍵の他に、遊技機内部にワイヤロック装置を取り付け、ワイヤの先端を扉に固定し、リモコンによって施錠を解除することにより遊技機内部への不正を防止していた。（例えば特許文献１参照）
【０００３】
【特許文献１】
特開２００２ー０１８０７９号公報
【０００４】
【発明が解決しようとする課題】
しかしながら、従来のワイヤロック装置では、何らかの手段でワイヤが切断されても告知されないため、ワイヤが切断されて扉が開けられたことにより、内部に不正が施されても、発見できないという問題点があった。
本発明は、このような問題点に鑑みてなされたものであり、その目的とするところは、ワイヤが切断された際に警報で知らせる警報システム、ワイヤロック装置、表示器を提供することである。
【０００５】
【課題を解決するための手段】
前述した目的を達成するため、第１の発明は、遊技機の警報システムであって、ワイヤを用いて施錠を行い、前記ワイヤが切断されると信号を発する施錠手段と、前記信号が発せられると告知を行う告知手段と、を具備することを特徴とする警報システムである。
第１の発明では、施錠手段であるワイヤロック装置のワイヤが切断されると信号が発せられ、告知を行う。
【０００６】
第２の発明は、ワイヤが巻きつけられ、通常時は前記ワイヤを巻き取る方向に力が加えられる巻取り体と、前記巻取り体に設けられた歯車と、電磁石と、通常時は前記歯車と係合し、前記電磁石に電源が供給されると移動し、前記歯車との係合が解かれるストッパと、前記ワイヤの切断を検出する検出機構と、を具備することを特徴とするワイヤロック装置である。
【０００７】
第２の発明では、通常時は、歯車がストッパにより固定されているため、巻取り体に巻きつけられたワイヤが巻き出されず施錠される。施錠を解除するために電磁石に電源が供給されると、歯車からストッパがはずれ、巻取り体が可動となるため、ワイヤが巻き出される。また、通常時にワイヤが切断されると、それを検出し、信号を発する。
ここで、通常時とは、ワイヤロック装置による施錠が行われている時のことである。
【０００８】
また、巻取り体とは、外側にワイヤが巻き付けられ、内側にばねが設けられた円筒状の部材であり、ばねの作用によって、常にワイヤを巻き取る方向に力が加えられる。
ストッパとは、歯車の回転を停止させるため、歯と歯の間に係合される棒状の部材であり、電磁石に電源が供給されて作動すると、連動して移動する。
【０００９】
第３の発明は、請求項７記載のワイヤロック装置から送られる信号に基づき、表示を行うことを特徴とする表示器である。
第３の発明では、ワイヤロック装置のワイヤが切断されたことを検知して、表示する。
【００１０】
【発明の実施の形態】
以下、図面に基づいて本発明の実施の形態を詳細に説明する。以下の実施の形態では、パチンコ遊技機を例にして説明する。ここでパチンコ遊技機とは、パチンコ遊技を行うための装置である。
【００１１】
図１は、パチンコ遊技機１の構成概略図である。パチンコ遊技機１は、基台５に扉３が開閉可能に設けられ、基台５の上部には、表示器７が設けられる。扉３の表側には、パチンコ遊技を行う盤面が設けられており、遊技者は、盤面上でパチンコ球を操作することにより、パチンコ遊技を行う。尚、図１では、基台５の内部の基盤等は図示していない。
【００１２】
基台５の内部には、内側側面にワイヤロック装置９が取り付けられる。ワイヤロック装置９には、ワイヤ１１が設けられ、ワイヤ１１の先端には、取付金具１３が設けられる。取付金具１３は、扉３の裏側にネジ等により固定される。
【００１３】
ワイヤ１１は、ワイヤロック装置９内部の歯車４１の下側に設けられた巻取り体５９の巻取り部６７（図５参照）に巻きつけられており、図１に示すように扉３を開けた状態では、ワイヤ１１は扉側に引っ張られて巻取り部６７から巻きだされ、扉３を閉止した状態では、ワイヤ１１は巻取り部６７に巻き取られて、扉３が施錠される。
【００１４】
次に、ワイヤロック装置９の詳細な説明を行う。図２は、ワイヤロック装置９の構成概略図であり、図３は、ワイヤロック装置９の内部の構成を示す図である。
図２に示すようにワイヤロック装置９は、直方体の形状で、プラスチック等で形成され、蓋１５、中ケース１７、下ケース１９で構成される。
【００１５】
ワイヤロック装置９の側面には、中ケース１７と下ケース１９との境目部分に、穴２０が設けられる。ワイヤ１１は、穴２０を通じて、ワイヤロック装置９の内部から外側に伸ばされる。ワイヤ１１の先端は、取付金具１３に設けられた穴１２を貫通し、折り曲げられてワイヤ１１と固定され、ワイヤ１１と取付金具１３とが接続される。
【００１６】
図３に示すようにワイヤロック装置９には、上部に蓋１５が設けられ、蓋１５の下側には中ケース１７と下ケース１９が設けられる。中ケース１７は、中底３０と、中底３０の周囲に垂直に設けられた４枚の側板３４ａ、側板３４ｂ、側板３４ｃ、側板３４ｄからなる直方体状のケースである。側板３４ｂの下方には、穴２０ａが設けられ、側板３４ｄの上方には、穴３６が設けられる。
【００１７】
中ケース１７には、直方体状の電磁石２１が、中底３０の上側に固定されて設けられる。
【００１８】
電磁石２１の周囲には、電磁石２１を囲むようにして、４つのプラスチック製等の板状の部材からなる枠体２３が、Ａ、Ｂ方向に移動可能に設けられる。すなわち、枠体２３の上部と下部は、開口している。
【００１９】
枠体２３の内側には、芯２４の端部が固定される。
芯２４は、円柱状で鉄製等であり、芯２４の一部は、電磁石２１の内部を貫通する。また、芯２４には、周囲にばね２５が巻きつけられる。枠体２３は、ばね２５によりＡ方向に押される。
【００２０】
電磁石２１には、ケーブル３３が接続される。ケーブル３３は、側板３４ｄに設けられた穴３６を通じて中ケース１７の外側まで延長され、後述する電源供給部８３と接続される（図８参照）。尚、ケーブル３３はケーブル３３ａとケーブル３３ｂとで構成される。
【００２１】
枠体２３の隅部には、ストッパ２７が枠体２３の下側に突出するように設けられる。ストッパ２７は、円柱形状で金属製等の部材である。
中底３０には、溝状に長穴２９が設けられる。ストッパ２７は、長穴２９を通って、中底３０の下側、すなわち、下ケース１９内に突出する。
【００２２】
中底３０には、台３１が固定して設けられる。台３１には、スイッチ３２が設けられる。スイッチ３２には、ケーブル３５が接続される。ケーブル３５は、穴３６を通じて中ケース１７の外側まで延長され、後述する表示器７に設けられた検知部７９と接続される（図８参照）。尚、ケーブル３５は、ケーブル３５ａとケーブル３５ｂとで構成される。
【００２３】
中底３０には、円形の穴３７が設けられる。台３１と穴３７との間には、円柱状の軸３８が中底３０に垂直に固定して設けられ、軸３８には、押し具３９の端部が回転可能に設けられる。押し具３９は、半円形状の部材であり、軸３８を中心にＥ方向、Ｆ方向（図９参照）に回転可能である。
【００２４】
押し具３９には、突起部４６が設けられる。突起部４６は、押し具３９が軸３８を中心にＥ方向に回転したときにスイッチ３２を押圧する。スイッチ３２は、突起部４６に押圧されるとオンとなる。
【００２５】
中ケース１７の下側には、下ケース１９が設けられる。下ケース１９は、底板４０と、底板４０の周囲に垂直に設けられた４枚の側板４４ａ、側板４４ｂ、側板４４ｃ、側板４４ｄからなる直方体状のケースである。側板４４ｂの上部には、穴２０ｂが設けられる。穴２０ａ、穴２０ｂにより、図２における穴２０が形成される。
【００２６】
図４は、下ケース１９の内部の構成を示す図である。下ケース１９には、歯車４１と、巻取り体５９と、移動部材４９等が収納される。下ケース１９には、円柱状の軸４３が、底板４０に垂直に固定されて設けられる。軸４３には、ばね４５を固定するための溝６２が設けられる。軸４３には、溝６２にばね４５の端部が挿入されて固定される。
【００２７】
下ケース１９では、軸４３を円形に囲うように、薄い板状の収納部４７が垂直に固定されて設けられる。収納部４７の一部には、第１溝部４８と第２溝部６４が設けられる。第１溝部４８には、長穴２９から突出したストッパ２７の下部が挿入される。
【００２８】
第２溝部６４は、収納部４７内部から、巻取り部６７に巻き付けられたワイヤ１１を、下ケース１９から穴２０ｂを通じて外側へ導くために設けられる。
【００２９】
下ケース１９には、支柱５１が底板４０と側板４４ｂとに固定されて設けられる。支柱５１には、後述する移動部材４９に設けられたばね５３（図６参照）の端部が押し付けられる。
【００３０】
収納部４７は、内側に巻取り体５９を収納する。巻取り体５９は、ワイヤ１１を巻き付ける部材であり、円筒形状の巻取り部６７と、薄い円盤状のガイド６３ａ、ガイド６３ｂ等からなる。巻取り部６７の上部には、歯車取付部６１が設けられる。
【００３１】
ガイド６３ａは、巻取り部６７の外側の上方に固定され、ガイド６３ｂは、巻取り部６７の下方に固定される。ワイヤ１１は、巻取り部６７の外側、すなわちガイド６３ａとガイド６３ｂとの間に巻きつけられる（図７参照）。
【００３２】
巻取り体５９の上部の歯車取付部６１には、歯車４１が取り付けられる。歯車４１は、薄い板状の金属製である。歯車４１は、中心部に円形の穴４６を有し、さらに、周囲に複数の歯４２を有する。歯車４１は、穴４６に歯車取付部６１が挿入されて、固定される。また、ガイド６３ａの上面は、歯車４１の裏側に固定される。
【００３３】
歯車４１が固定された巻取り体５９は、収納部４７に回転可能に収納される。この時、歯車４１の歯４２の部分は、収納部４７の上部から外側にはみ出るように収納される。
【００３４】
図５は、図３における歯車４１付近の拡大図である。巻取り体５９の内側、すなわち巻取り部６７の内側には、ばね４５が設けられる。ばね４５は、板状で金属製である。ばね４５の一端は、軸４３の溝６２に挿入され、固定される。ばね４５は、軸４３を中心に時計回りに巻きつけられ、ばね４５の他端は、巻取り部６７の一部に設けられたばね固定部６５に固定される。
【００３５】
図６は、移動部材４９の構成を示す図である。移動部材４９は、係合部５４と、突起部５５と、係合部５４と突起部５５とを接続する接続部５７等からなる。移動部材４９は、図４において、下ケース１９内の側板４４ｂと収納部４７との間に、側板４４ｂと平行して、Ｃ、Ｄ方向に移動可能に設けられる。
【００３６】
係合部５４には、溝５０が設けられる。溝５０は、移動部材４９にワイヤ１１を係合させるために設けられる。突起部５５は、板状の部材であり、接続部５７に垂直に固定されて設けられる。突起部５５の上端部は、中ケース１７に設けられた穴３７を通じて、中ケース１７内に突出するように設けられる。
【００３７】
接続部５７の内部には、棒状の支持体５２が設けられる。支持体５２は、接続部５７の内部に横向きに固定されて設けられる。支持体５２の外側には、ばね５３が伸縮可能に設けられる。ばね５３が無負荷の時の長さ（自然長）は、支持体５２の長さよりも長く、ばね５３の先端は、支持体５２より突出する。
【００３８】
後述する図１４に示されるように、移動部材４９のばね５３は、支柱５１に当接しているので、移動部材４９は、ばね５３によりＤ方向に押されている。
しかるに、図１０に示されるように、移動部材４９の溝５０にワイヤ１１が係合すると、ワイヤ１１によって移動部材４９がＣ方向に移動する。
【００３９】
図７は、図３における歯車４１付近の側面図である。歯車４１は、前述したとおり、巻取り体５９の上部、すなわち歯車取付部６１に固定される。巻取り体５９は、底板４０上に回転可能に設けられる。
【００４０】
巻取り体５９の巻取り部６７には、ワイヤ固定部６９が設けられる。ワイヤ固定部６９には、ワイヤ１１の先端が固定される。ワイヤ１１は、巻取り部６７に時計回りに巻きつけられる。ワイヤ１１の端部は、移動部材４９の溝５０に係合し、さらに、穴２０ｂから下ケース１９の外側に導かれ、扉３に固定される。
【００４１】
図３において、ばね４５は、常にばねを緩める方向、すなわち反時計回りに歯車４１を回転させようとする。一方、ワイヤ１１は、歯車４１に固定された巻取り部６７に時計回りに巻きつけられる。歯車４１には、常に反時計回りに回転させる方向に力が作用しているため、ワイヤ１１には、常に巻取り部６７に巻取られる方向に力が作用している。
【００４２】
図８は、パチンコ遊技機１の信号系の一部を説明する図である。
表示器７は、制御部７１、表示部７３、受信部７７、検知部７９等を有する。制御部７１は、表示器７の各部の制御やワイヤロック装置９の制御等を行う。リモコン７５は、施錠の解除を指示する信号の送信等を行う。リモコン７５を使用する場合、暗証番号を入力するようにしてもよい。
【００４３】
受信部７７は、リモコン７５からの信号を受信する。表示部７３は、大当たり等の表示や施錠が解除された場合等の表示を行う。表示部７３は、複数個設けられてもよく、制御部７１の指示によって各種の表示を行う。
【００４４】
表示部７３、受信部７７、検知部７９は、制御部７１に接続される。
検知部７９は、ワイヤロック装置９のスイッチ３２と、ケーブル３５ａ、ケーブル３５ｂを介して接続され、スイッチ３２のオン・オフを検知し、制御部７１に伝える。
【００４５】
ワイヤロック装置９の内部には、前述したように、電磁石２１、枠体２３、ばね２５、スイッチ３２等が設けられる。枠体２３には、芯２４が設けられ、芯２４の一部は電磁石２１の内部を貫通する。電磁石２１と枠体２３との間にばね２５が芯２４の周囲に巻きつけられて設けられる。枠体２３は、ばね２５によりＡ方向に押される。
【００４６】
電源８１の内部には、電源供給部８３、スイッチ駆動部８５、スイッチ８７等が設けられる。電源供給部８３は、電源の供給を行い、ケーブル３３ａ、３３ｂを介して電磁石２１と接続される。スイッチ駆動部８５は、表示器７の制御部７１の指示により、スイッチ８７を開閉する。
【００４７】
次に、本実施の形態の動作について説明する。
はじめに、図８を参照しながら、本実施の形態のオペレータによる処理について説明する。
【００４８】
オペレータは、リモコン７５を介して「ワイヤロック装置９による施錠を解除する」という信号を受信部７７に送信する。受信部７７は、受信した信号を制御部７１に送信し、制御部７１は、スイッチ駆動部８５を駆動させ、スイッチ８７をオンにする。
【００４９】
スイッチ８７がオンとなると、電源供給部８３から電磁石２１に電源が供給され、電磁石２１が作動する。電磁石２１が作動すると、芯２４が枠体２３と共にＢ方向に移動する。
【００５０】
枠体２３がＢ方向に移動すると、後述するように、ワイヤロック装置９による施錠が解除される。
オペレータは、施錠が解除されると、パチンコ遊技機１の扉３を開け、パチンコ遊技機１の内部の調整や補修等を行う。
【００５１】
オペレータは、パチンコ遊技機１の調整や補修等を終えると、扉３を閉め、リモコン７５を介して「ワイヤロック装置９による施錠を行う」という信号を受信部７７に送信する。これにより、ワイヤロック装置９の電磁石２１への電源の供給が停止する。電磁石２１は、電源の供給が停止されると作動を停止する。
【００５２】
次に、図９、図１０、図１１、図１２を参照しながら、ワイヤロック装置９の動作について説明する。
【００５３】
図９は、ワイヤロック装置９による施錠が行われているときの、図３における中ケース１７の平面図であり、図９は、ワイヤロック装置９による施錠が行われているときの、図３における下ケース１９の平面図である。
【００５４】
図９において、ワイヤロック装置９による施錠が行われている場合、電磁石２１は、ケーブル３３を介して電源が供給されず作動していない。このため、枠体２３は、ばね２５の作用によりＡ方向に付勢される。枠体２３がＡ方向に付勢されることにより、枠体２３と連動するストッパ２７は、長穴２９の右側の端部に位置する。
【００５５】
図１０において、下ケース１９内のストッパ２７は、第１溝部４８の右側の端部に位置する。このとき、ストッパ２７は、歯車４１の歯４２と係合し、歯車４１の時計回り方向への回転を停止させる。すなわち、ワイヤ１１は、巻き出されないため扉３は施錠される。
【００５６】
図１１は、ワイヤロック装置９による施錠が解除されたときの、図３における中ケース１７の平面図であり、図１２は、ワイヤロック装置９による施錠が解除されたときの、図３における下ケース１９の平面図である。
【００５７】
図１１において、ワイヤロック装置９による施錠が解除されると、電磁石２１へ、ケーブル３３を介して電源が供給される。電磁石２１は、電源が供給されると作動し、芯２４は、電磁石２１側に引き寄せられる。すなわち、芯２４は、Ｂ方向に移動する。
【００５８】
枠体２３は、芯２４の一端に固定されているため、芯２４と連動してＢ方向へ移動する。枠体２３がＢ方向へ移動すると、ストッパ２７もＢ方向へ移動する。
【００５９】
図１２において、下ケース１９内のストッパ２７は、枠体２３がＢ方向に移動したのに伴って、第１溝部４８にそってＢ方向に移動する。
【００６０】
ストッパ２７がＢ方向に移動すると、ストッパ２７と歯車４１の歯４２との係合は解かれ、歯車４１は、回転可能となる。これにより、パチンコ遊技機１の施錠が解除され、巻取り部６７に巻き取られていたワイヤ１１は、扉３の開閉にあわせて巻き出されたり、巻き取られたりすることが可能となる。
【００６１】
次に、図９、図１０、図１３、図１４を参照しながら、本実施の形態の、ワイヤ１１切断時の動作について説明する。
尚、ワイヤ１１の切断は、ワイヤロック装置９により施錠されている際に行われるものとする。
【００６２】
図９は、ワイヤロック装置９により施錠されており、ワイヤ１１が切断される前の、図３における中ケース１７の平面図であり、図１０は、ワイヤロック装置９により施錠されており、ワイヤ１１が切断される前の、図３における下ケース１９の平面図である。
【００６３】
図１０において、移動部材４９は、ばね５３によってＤ方向に押されているが、移動部材４９の溝５０にワイヤ１１が係合すると、ワイヤ１１により、移動部材４９がＣ方向に移動する。
【００６４】
このとき、図９において、穴３７から突出した突起部５５は、移動部材４９がＣ方向に移動しているため、押し具３９とは離れており、スイッチ３２はオフである。
【００６５】
図１３は、ワイヤ１１が切断された時の、中ケース１７の平面図であり、図１４は、ワイヤ１１が切断された時の、下ケース１９の平面図である。
【００６６】
図１４において、溝５０に係合していたワイヤ１１は、切断されると溝５０から外れ、ばね４５の作用により、巻取り部６７に巻き取られる。ワイヤ１１が溝５０から外れると、支柱５１に押し付けられて縮んでいたばね５３が伸長するので、移動部材４９は、Ｄ方向に移動する。移動部材４９がＤ方向に移動すると、突起部５５は、連動してＤ方向へ移動する。
【００６７】
このとき、図１３において、穴３７から突出した突起部５５は、Ｄ方向へ移動するため押し具３９を押す。押し具３９は、突起部５５に押されると軸３８を中心にＥ方向に回転し、押し具３９の突起部４６は、スイッチ３２を押圧する。スイッチ３２は、押し具３９の突起部４６に押圧されてオンとなる。
【００６８】
図８において、スイッチ３２がオンとなると、検知部７９は、スイッチ３２がオンとなったことを検知して、制御部７１に信号を送る。
【００６９】
制御部７１は、検知部７９から送られた信号を受け取り、表示部７３に表示したり、警報機（図示せず）により警報を発したりする。また、制御部７１は、外部の警備会社等に連絡するようにしてもよい。
【００７０】
尚、本発明は、パチンコ遊技機だけでなく、例えばスロットマシン機等への適用が可能である。
【００７１】
次に、他の実施の形態について説明する。図１５は、他の実施の形態に係るパチンコ遊技機１ａの構成概略図であり、図１６は、他の実施の形態に係るスロットマシン機９１の構成概略図であり、図１７は、他の実施の形態に係るパチンコ遊技機１ｂの構成概略図である。
【００７２】
前述した実施の形態では、ワイヤロック装置９は、図１に示したように基台５の内側に設置していたが、基台５の外側、または表示器７の内部に設置するようにしてもよい。
【００７３】
図１５において、ワイヤロック装置９には、ワイヤ１１を被覆するアウタワイヤ９３が設けられる。アウタワイヤ９３の端部は、ワイヤロック装置９の穴２０（図２参照）にネジ等によって固定される。また、基台５には、側面に穴９５が設けられる。穴９５は、ワイヤロック装置９を基台５の外側に取り付けた場合に、ワイヤ１１を内側に導くために設けられる。
【００７４】
穴９５から内側に導かれたアウタワイヤ９３は、アウタワイヤ固定具９７により、基台５の内側側面に固定される。
【００７５】
パチンコ遊技機１ａの場合、ワイヤロック装置９は、基台５の裏側に設置するのが好ましい。ワイヤロック装置９に設けられたアウタワイヤ９３は、穴９５を通じて基台５の内側に導かれたワイヤ１１を被覆するので、ワイヤ１１が穴９５を通ることによって折り曲げられても、巻き出しや巻き戻しが可能となる。
【００７６】
図１６において、スロットマシン機９１の基台５の外側にワイヤロック装置９を設置する場合、ワイヤロック装置９は、基台５の側面に設置するのが好ましい。
【００７７】
また、図１７において、パチンコ遊技機１ｂのように、表示器７の内部にワイヤロック装置９を設置することもできる。この場合、ワイヤロック装置９に固定されたアウタワイヤ９３は、基台５の外側を通り、基台５の側面に設けられた穴９５を通じて、基台５の内部に導かれる。
【００７８】
このように、本発明の警報システムを用いれば、ワイヤが切断されたことを検知して、表示したり、警報を発することができる。
【００７９】
【発明の効果】
以上、詳細に説明したように本発明によれば、ワイヤが切断された際に警報で知らせる警報システム、ワイヤロック装置、表示器を提供することができる。
【図面の簡単な説明】
【図１】パチンコ遊技機１の構成概略図
【図２】ワイヤロック装置９の構成概略図
【図３】ワイヤロック装置９の内部の構成を示す図
【図４】下ケース１９の内部の構成を示す図
【図５】図３における歯車４１付近の拡大図
【図６】移動部材４９の構成を示す図
【図７】図３における歯車４１付近の側面図
【図８】パチンコ遊技機１の信号系の一部を説明する図
【図９】ワイヤロック装置９による施錠が行われており、ワイヤ１１が切断される前の、図３における中ケース１７の平面図
【図１０】ワイヤロック装置９による施錠が行われており、ワイヤ１１が切断される前の、図３における下ケース１９の平面図
【図１１】ワイヤロック装置９による施錠が解除されたときの、図３における中ケース１７の平面図
【図１２】ワイヤロック装置９による施錠が解除されたときの、図３における下ケース１９の平面図
【図１３】ワイヤ１１が切断されたときの、中ケース１７の平面図
【図１４】ワイヤ１１が切断されたときの、下ケース１９の平面図
【図１５】他の実施の形態に係るパチンコ遊技機１ａの構成概略図
【図１６】他の実施の形態に係るスロットマシン機９１の構成概略図
【図１７】他の実施の形態に係るパチンコ遊技機１ｂの構成概略図
【符号の説明】
１・・・・パチンコ遊技機
３・・・・扉
５・・・・パチンコ台
７・・・・表示器
９・・・・ワイヤロック装置
１１・・・ワイヤ
１３・・・取付金具
【図１】
2004275254.tif 000003
【図２】
2004275254.tif 000004
【図３】
2004275254.tif 000005
【図４】
2004275254.tif 000006
【図５】
2004275254.tif 000007
【図６】
2004275254.tif 000008
【図７】
2004275254.tif 000009
【図８】
2004275254.tif 000010
【図９】
2004275254.tif 000011
【図１０】
2004275254.tif 000012
【図１１】
2004275254.tif 000013
【図１２】
2004275254.tif 000014
【図１３】
2004275254.tif 000015
【図１４】
2004275254.tif 000016
【図１５】
2004275254.tif 000017
【図１６】
2004275254.tif 000018
【図１７】
2004275254.tif 000019